(57)【要約】【課題】  安定して鉄塔から送電線に乗り出すことができ、かつ、取り付けなどが容易な鉄塔作業用支持具を提供する。【解決手段】  棒状の剛体で伸縮自在な支持具本体２と、支持具本体２の一端側に設けられ、一方のアークホーン１０２を着脱自在に把持する第１の把持体３と、支持部本体２の他端側に設けられ、他方のアークホーン１０３を着脱自在に把持する第２の把持体４と、を備える。【選択図】  図１
2013121265.tif 000002
【特許請求の範囲】
【請求項１】
鉄塔と送電線とをつなぐ碍子連の両端側にアークホーンが配設され、前記碍子連の上を移動する作業員を支持するための鉄塔作業用支持具であって、
棒状の剛体で伸縮自在な支持具本体と、
前記支持具本体の一端側に設けられ、一方の前記アークホーンを着脱自在に把持する第１の把持手段と、
前記支持部本体の他端側に設けられ、他方の前記アークホーンを着脱自在に把持する第２の把持手段と、
を備えることを特徴とする鉄塔作業用支持具。
【発明の詳細な説明】
【技術分野】
【０００１】
この発明は、鉄塔から送電線に乗り出して作業を行う際に、作業員を支持する鉄塔作業用支持具に関する。
【背景技術】
【０００２】
例えば、５００ｋＶの架空送電線鉄塔において、送電線に乗り出して作業を行う場合、従来次のようにして、鉄塔と送電線とをつなぐ碍子連を渡っている。まず、最初の作業員がロープを所持した状態で、外部から支持を受けずに碍子連を伝わって移動し、碍子連の送電線側の端部に設けられたアークホーンに、ロープの一端部を結び付ける。次に、鉄塔側にいる作業員が、ロープを張った状態でロープの他端部を、碍子連の鉄塔側の端部に設けられたアークホーンに結び付ける。このようにして、碍子連に沿ってロープを配設し、このロープを手摺りとして、２番目以降の作業員が碍子連を伝わって送電線側に移動するものである。
【０００３】
一方、足場本体の基端部を懸垂支持物に取り付け、足場本体の先端部とヨークとを吊下げ用アームを介して連結することで、架線用足場を確保する技術が知られている（例えば、特許文献１参照。）。
【先行技術文献】
【特許文献】
【０００４】
【特許文献１】特開平０７−３１７３０５号公報
【発明の概要】
【発明が解決しようとする課題】
【０００５】
ところで、高圧の送電線は高い位置に架設され、極めて不安定で厳しい作業環境となっている。このため、上記のようにロープを手摺りとしても、安定して碍子連上を移動することが困難であった。すなわち、ロープを張って親綱として使用しても、作業員の体重がかかるとロープが揺れしまい、また、強風などによってもロープが揺れて、作業員がバランスを崩してしまい、作業員を強固に支持することができない。そして、このような不安定な状態で全作業員が碍子連上を移動しなければならないため、多大な時間と労力とを要していた。
【０００６】
さらに、ロープを張った状態でロープをアークホーンに適正に結び付けるには、熟練を要し、しかも、多大な時間と労力とを要する。同様に、ロープを取り外す場合にも、多大な時間と労力とを要する。
【０００７】
そこでこの発明は、安定して鉄塔から送電線に乗り出すことを可能にし、かつ、取り付けなどが容易な鉄塔作業用支持具を提供することを目的とする。
【課題を解決するための手段】
【０００８】
前記課題を解決するために、請求項１の発明は、鉄塔と送電線とをつなぐ碍子連の両端側にアークホーンが配設され、前記碍子連の上を移動する作業員を支持するための鉄塔作業用支持具であって、棒状の剛体で伸縮自在な支持具本体と、前記支持具本体の一端側に設けられ、一方の前記アークホーンを着脱自在に把持する第１の把持手段と、前記支持部本体の他端側に設けられ、他方の前記アークホーンを着脱自在に把持する第２の把持手段と、を備えることを特徴とする。
【０００９】
この発明によれば、最初の作業員が碍子連の上を移動し、本鉄塔作業用支持具の第１の把持手段を送電線側（一方）のアークホーンに把持させ、他の作業員が支持具本体を伸縮させながら、第２の把持手段を鉄塔側（他方）のアークホーンに把持させる。これにより、碍子連に沿って本鉄塔作業用支持具が配設され、支持具本体を手摺りとして、２番目以降の作業員が碍子連上を移動する。
【発明の効果】
【００１０】
請求項１の発明によれば、棒状の支持具本体が碍子連に沿って配設されるため、２番目以降の作業員は、剛体である支持具本体を手摺りとして利用することで、安定して碍子連上を移動することができる。すなわち、支持具本体（本装置）によって作業員が強固に支持されるため、安定して鉄塔から送電線に乗り出すことができ、この結果、全作業員が容易かつ短時間に送電線に乗り出すことができる。
【００１１】
また、第１の把持手段と第２の把持手段とをアークホーンに把持させるだけで、本鉄塔作業用支持具を適正かつ容易、迅速に取り付けることができる。しかも、第２の把持手段がアークホーンと着脱自在なため、本鉄塔作業用支持具を容易、迅速に取り外すことができる。さらに、支持具本体が伸縮自在なため、アークホーン間の距離が異なる複数の碍子連に対して、適正かつ容易に取り付けることができる。
【図面の簡単な説明】
【００１２】
【図１】この発明の実施の形態に係る鉄塔作業用支持具を示す正面図である。
【図２】図１の鉄塔作業用支持具の把持体を示す拡大正面図である。
【図３】図１の鉄塔作業用支持具を取り付けた状態を示す正面図である。
【発明を実施するための形態】
【００１３】
以下、この発明を図示の実施の形態に基づいて説明する。
【００１４】
図１は、この発明の実施の形態に係る鉄塔作業用支持具１を示す正面図である。この鉄塔作業用支持具１は、鉄塔と送電線とをつなぐ碍子連の上を移動する作業員を支持するための支持具であり、主として、支持具本体２と、第１の把持体（第１の把持手段）３と、第２の把持体（第２の把持手段）４とを備えている。ここで、後述するように、碍子連１０１の両端側には、アークホーン１０２、１０３が配設されている。
【００１５】
支持具本体２は、棒状の剛体で伸縮自在となっている。すなわち、電気絶縁性を有し、所定の強度・剛性を有してかつ軽量な材料、例えばグラファイトや繊維強化プラスチックで構成され、第１の本体部２１と第２の本体部２２とを有している。第１の本体部２１と第２の本体部２２とは、ともに中空の棒体で、第１の本体部２１内に第２の本体部２２が、軸方向に往復動・スライド自在に挿入されることで、支持具本体２が伸縮自在となっている。また、第２の本体部２２を固定するための第１の蝶ネジ２３が、第１の本体部２１に取り付けられている。そして、伸縮による長さは、移動対象の複数の碍子連１０１のアークホーン１０２、１０３間距離に対応できるように設定されている。
【００１６】
また、第１の本体部２１と第２の本体部２２とは、ともに断面が長方形で、第２の本体部２２（第１の把持体３）が軸心周りに回転しないようになっている。これにより、後述する第１の把持体３の把持孔３ａと第２の把持体４の把持孔４ａとが、常に同じ方向に向き、アークホーン１０２、１０３を把持しやすいようになっている。このような支持具本体２は、作業員の体重がかかった場合でも、作業員を安定して支えられるように、強度・剛性が設定されている。
【００１７】
第１の把持体３は、支持具本体２の一端側、つまり第２の本体部２２の自由端側に配設され、後述するように、送電線側（一方）のアークホーン１０２を着脱自在に把持する把持具である。同様に、第２の把持体４は、支持部本体２の他端側、つまり第１の本体部２１の反第２の本体部２２側に設けられ、後述するように、鉄塔側（他方）のアークホーン１０３を着脱自在に把持する把持具である。これらの把持具３、４は、同等な構成のため、以下、第１の把持体３についてのみ、主として説明する。
【００１８】
第１の把持体３は、支持具本体２と同様に、電気絶縁性を有し、所定の強度・剛性を有してかつ軽量な材料、例えばグラファイトや繊維強化プラスチックで構成され、図２に示すように、固定部３１と可動部３２とを有している。
【００１９】
固定部３１は、断面が略長方形の棒体で、一端部が支持具本体２（第２の本体部２２）に固定され、支持具本体２に沿って真っすぐに延びている。この固定部３１の図２中下面には、円弧状の固定凹部３１ａが形成され、後述する可動部３２の可動凹部３２ａと合わさることで、丸孔状の把持孔３ａが形成されるようになっている。ここで、把持孔３ａでアークホーン１０２を挟持、把持できるように、固定凹部３１ａおよび可動凹部３２ａの直径が設定されている。
【００２０】
また、固定凹部３１ａの第２の本体部２２側には、図２中下面から上方に向かって延びるネジ孔３１ｂが形成されている。このような固定部３１に対して、可動部３２が回動自在に配設されている。
【００２１】
すなわち、可動部３２は、断面が略長方形の棒体で、把持孔３ａの軸心と平行な回転軸を有するヒンジ３３を介して、固定部３１に対して回動自在となっている。この可動部３２の図２中左側面には、円弧状の可動凹部３２ａが形成され、可動部３２を固定部３１側に回動させて固定凹部３１ａと合わせることで、把持孔３ａが形成されるようになっている。また、可動凹部３２ａの図２中下方には、第２の蝶ネジ５が水平方向に進退動自在に取り付けられている。そして、可動部３２を固定部３１側に回動させて可動部３２と固定部３１とを重ね合わせることで、第２の蝶ネジ５をネジ孔３１ｂに螺合でき、これにより把持孔３ａでアークホーン１０２を把持・挟持できるようになっている。ここで、第２の蝶ネジ５が可動部３２から落下しないように、第２の蝶ネジ５には、可動部３２の挿入孔（蝶ネジ５用の孔）に設けられた被係止部に係止する係止部が設けられている。
【００２２】
このように、第１の把持体３は、可動部３２が閉じた状態で棒状となり、支持具本体２の両端に第１の把持体３と第２の把持体４とが配設された鉄塔作業用支持具１は、全体としても棒状となっている。
【００２３】
次に、このような構成の鉄塔作業用支持具１の使用方法などについて説明する。ここで、図３に示すように、碍子連１０１の送電線側（一方）の端部には、第１のアークホーン１０２が配設され、碍子連１０１の鉄塔側（他方）の端部には、第２のアークホーン１０３が配設され、各アークホーン１０２、１０３はともに、断面が略円形の線材が環状に形成されているものとする。
【００２４】
まず、最初の作業員が碍子連１０１の上を移動して、送電線側つまり第１のアークホーン１０２側に乗り出る。次に、鉄塔側にいる作業員が、第１の把持体３側を最初の作業員に向けて支持具１を渡し、これを受けて、最初の作業員が第１の把持体３を第１のアークホーン１０２の頂部に把持させる。すなわち、上記のように可動部３２を固定部３１側に回動させて、把持孔３ａ（固定凹部３１ａと可動凹部３２ａ）で第１のアークホーン１０２を挟持し、第２の蝶ネジ５をネジ孔３１ｂに締め付けることで、第１の把持体３を第１のアークホーン１０２に固定する。
【００２５】
続いて、鉄塔側にいる作業員が、支持具本体２を伸縮させて、第２の把持体４の把持孔３ａが第２のアークホーン１０３の頂部に位置するように調整し、上記と同様にして、第２の把持体４を第２のアークホーン１０３の頂部に把持させる。その後、送電線側の最初の作業員が、第１の蝶ネジ２３を締め付けて、支持具本体２が伸縮しないようにする。
【００２６】
これにより、碍子連１０１の上方に碍子連１０１に沿って本支持具１が配設され、この支持具１（支持具本体２）を手摺りとして利用し、２番目以降の作業員が碍子連１０１の上を移動して、送電線側に乗り出す。
【００２７】
その後、作業が終了した場合には、最初の作業員以外の作業員は、支持具１を手摺りとして利用し、碍子連１０１の上を移動して鉄塔側に戻る。次に、最初の作業員が、第１の把持体３の第２の蝶ネジ５を緩めて可動部３２を開き、把持孔３ａによる第１のアークホーン１０２の挟持を解除する。同様に、鉄塔側にいる作業員が、第２の把持体４による第２のアークホーン１０３の挟持を解除し、支持具１を手元に引き寄せて、支持具１を撤去する。そして、最初の作業員が碍子連１０１の上を移動して、鉄塔側に戻るものである。
【００２８】
以上のように、この鉄塔作業用支持具１によれば、棒状の本支持具１が碍子連１０１の上方に碍子連１０１に沿って配設されるため、２番目以降の作業員は、剛体である本支持具１を手摺りとして利用することで、安定して碍子連１０１の上を移動することができる。すなわち、本支持具１（支持具本体２）によって作業員が強固に支持されるため、安定して鉄塔から送電線に乗り出すことができ、この結果、全作業員が容易かつ短時間に送電線に乗り出すことができる。
【００２９】
また、把持孔３ａ、４ａでアークホーン１０２、１０３を挟持して、第２の蝶ネジ５を締め付けるだけで、把持体３、４でアークホーン１０２、１０３を把持でき、熟練や特殊な技能などを要せずに、誰でも本支持具１を適正かつ容易、迅速に取り付けることができる。しかも、ロープでは結び目が解けることがあり得るが、第２の蝶ネジ５を緩めない限り把持が解除されることがない。一方、第２の蝶ネジ５を緩めるだけで、把持体３、４によるアークホーン１０２、１０３の把持を解除でき、本支持具１を容易、迅速に取り外すこともできる。
【００３０】
さらに、支持具本体２が伸縮自在なため、アークホーン１０２、１０３間の距離が異なる複数の碍子連１０１に対して、適正かつ容易に取り付けることができる。また、上記のように、支持具本体２と把持体３、４とが軽量材で構成され、本支持具１全体が軽量化されているため、高い鉄塔の頂部にも比較的容易に持ち運ぶことができる。
【００３１】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、支持具本体２の断面が長方形となっているが、円筒形としてもよい。また、両把持体３、４の把持孔３ａ、４ａが常に同じ方向に向くようになっているが、両把持体３、４を支持具本体２の軸心周りに回転自在に配設し、アークホーン１０２、１０３の形状などに応じて、把持方向を変えられるようにしてもよい。
【００３２】
また、上記の実施の形態では、鉄塔側にいる作業員が最初の作業員に支持具１を渡しているが、第１の把持体３側に結びつけた紐などを最初の作業員が所持した状態で、碍子連１０１上を移動し、最初の作業員が紐などを引き寄せて、第１の把持体３側を第１のアークホーン１０２側に持ち込んでもよい。
【符号の説明】
【００３３】
１        鉄塔作業用支持具
２        支持具本体
２３      第１の蝶ネジ
３        第１の把持体（第１の把持手段）
３ａ      把持孔
３１      固定部
３１ｂ    ネジ孔
３２      可動部
３３      ヒンジ
４        第２の把持体（第２の把持手段）
４ａ      把持孔
５        第２の蝶ネジ
１０１    碍子連
１０２、１０３  アークホーン
【図１】
2013121265.tif 000003
【図２】
2013121265.tif 000004
【図３】
2013121265.tif 000005